(57)【要約】      （修正有）【課題】座掘作業時にアンカーボルトを損傷させるのを確実に防止するとともに、切り粉がアンカーボルト挿入孔に侵入しても座掘抵抗が大きくなるのを阻止して、楽に効率よく座掘作業を行なうことができる座掘カッターを得る。【解決手段】土台３のアンカーボルト挿入孔４に挿入されたアンカーボルト５の外周部のアンカーボルト挿入孔に挿入されるガイド筒６と、このガイド筒の前部を除く部位の外周部を回転可能に覆う回転筒８と、この回転筒の後端部に固定状態に取付けられた電動工具２等で該回転筒を回転させる取付具と、前記ガイド筒の先端部を除く部位の外周部に位置するように、前記回転筒に着脱可能に取付けられた座掘カッター刃１２とで座掘カッター１を構成している。【選択図】図６
2004351617.tif 000002
【特許請求の範囲】
【請求項１】
土台のアンカーボルト挿入孔に挿入されたアンカーボルトの外周部のアンカーボルト挿入孔に挿入されるガイド筒と、このガイド筒の前部を除く部位の外周部を回転可能に覆う回転筒と、この回転筒の後端部に固定状態に取付けられた電動工具等で該回転筒を回転させる取付具と、前記ガイド筒の先端部を除く部位の外周部に位置するように、前記回転筒に着脱可能に取付けられた座掘カッター刃とからなることを特徴とする座掘カッター。
【請求項２】
土台のアンカーボルト挿入孔に挿入されたアンカーボルトの外周部のアンカーボルト挿入孔に挿入されるガイド筒と、このガイド筒の前部を除く部位の外周部にベアリングを介して回転可能に覆う回転筒と、この回転筒の後端部に固定状態に取付けられた電動工具等で該回転筒を回転させる取付具と、前記ガイド筒の先端部を除く部位の外周部に位置するように、前記回転筒に着脱可能に取付けられた対向する部位に設けられた２個の外周部切削カッター刃および対向する部位に設けられた２個の底面切削カッター刃を備える座掘カッター刃とからなることを特徴とする座掘カッター。
【発明の詳細な説明】
【０００１】
【発明の属する技術分野】
本発明はアンカーボルト挿入孔が形成された土台のアンカーボルトが挿入された外周部を座掘する座掘カッターに関する。
【０００２】
【従来の技術】
従来の座掘カッターは、座掘カッター刃の中心軸よりガイドパイプを突出して設け、このガイドパイプと同径の孔を座掘カッター刃に貫通させるとともに、電動工具で回転できるように前記座掘カッター刃に孔と連投する孔を有する回転軸とで構成している。
【０００３】
［特許文献］      登録実用新案第３０８０４３６号
【０００４】
【発明が解決しようとする課題】
従来の座掘カッターは、アンカーボルトと土台に形成されたアンカーボルト挿入孔間に挿入されるガイドパイプは座掘カッター刃と一体に形成されているため、座掘作業を行なう場合、ガイドパイプと座掘カッター刃とが一体になって回転し、ガイドパイプによってアンカーボルトを損傷させやすいとともに、ガイドパイプとアンカーボルト挿入孔との間に切り粉が侵入して座掘抵抗が大きくなり、座掘を効率よくできないという欠点があった。
【０００５】
本発明は以上のような従来の欠点に鑑み、座掘作業時にアンカーボルトを損傷させるのを確実に防止するとともに、切り粉がアンカーボルト挿入孔に侵入しても座掘抵抗が大きくなるのを阻止して、楽に効率よく座掘作業を行なうことができる座掘カッターを提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００７】
【課題を解決するための手段】
上記目的を達成するために、本発明は土台のアンカーボルト挿入孔に挿入されたアンカーボルトの外周部のアンカーボルト挿入孔に挿入されるガイド筒と、このガイド筒の前部を除く部位の外周部を回転可能に覆う回転筒と、この回転筒の後端部に固定状態に取付けられた電動工具等で該回転筒を回転させる取付具と、前記ガイド筒の先端部を除く部位の外周部に位置するように、前記回転筒に着脱可能に取付けられた座掘カッター刃とで座掘カッターを構成している。
【０００８】
【発明の実施の形態】
以下、図面に示す実施の形態により、本発明を詳細に説明する。
【０００９】
図１ないし図６に示す本発明の第１の実施の形態において、１は電動ドリルや電動ドライバー等の電動工具２を用いて回転される本発明の座掘カッターで、この座掘カッター１は土台３に形成されたアンカーボルト挿入孔４より外径寸法が小さく、該アンカーボルト挿入孔４に挿入されるアンカーボルト５の外径寸法よりも内径寸法が大きいガイド筒６と、このガイド筒６の前部を除く部位の外周部を両端部寄りの部位に介装された軸受部材７、７で回転可能に覆う回転筒８と、この回転筒８の後端部に複数本の皿ビス９等によって固定状態に取付けられた前記電動工具２のチャック１０に取付けられ、該回転筒８を回転させる取付具１１と、前記ガイド筒６の先端部を除く部位の外周部に位置するように前記回転筒８の先端部に複数本の皿ビス９等によって着脱可能に取付けられた座掘カッター刃１２とで構成されている。
【００１０】
前記座掘カッター刃１２は前記ガイド筒６が貫通する貫通孔１３が形成された円板状の座掘カッター刃本体１４と、この座掘カッター刃本体１４の後部と一体形成された外径寸法が小径で、かつ内側に前記回転筒８の先端部が挿入される回転筒挿入孔１５および前記皿ビス９、９、９が螺合される複数個のねじ孔１６、１６、１６が形成された取付部１７と、前記座掘カッター刃本体１４の対向する外周部の先端部に固定された２個の外周部切削カッター刃１８、１８と、前記座掘カッター刃本体１４の対向する先端部に固定された２個の底面切削カッター刃１９、１９とで構成されている。
【００１１】
上記構成の座掘カッター１は、取付具１１を電動工具２のチャック１０に取付けるとともに、ガイド筒６内にアンカーボルト５を挿入し、該ガイド筒６の先端部を土台３のアンカーボルト挿入孔４とアンカーボルト５との間の隙間に挿入させる。
しかる後、電動工具２を駆動させることにより、ガイド筒６の外周部を回転筒８および座掘カッター刃１２が回転し、アンカーボルト５の外周部の土台３に座掘カッター刃１２の外周部切削カッター刃１８、１８および底面切削カッター刃１９、１９によって座掘穴２０を形成することができる。
この時、座掘カッター刃１２はガイド筒６の外周部を回転し、ガイド筒６は回転しないため、スムーズに座掘カッター刃１２の回転が可能で、かつガイド筒６によってアンカーボルト５が損傷するのを防止することができる。
【００１２】
【発明の異なる実施の形態】
次に、図７ないし図１１に示す本発明の異なる実施の形態につき説明する。なお、これらの本発明の異なる実施の形態の説明に当って、前記本発明の第１の実施の形態と同一構成部分には同一符号を付して重複する説明を省略する。
【００１３】
図７ないし図９に示す本発明の第２の実施の形態において、前記本発明の第１の実施の形態と主に異なる点は、ガイド筒６と回転筒８との間にベアリング２１、２１を介して回転筒８を回転可能に取付けるとともに、筒状の座掘カッター刃本体１４Ａより三方に突出するカッター刃支持体２２、２２、２２を一体形成し、該カッター刃支持体２２、２２、２２の外周部に外周部切削カッター刃１８、１８、１８を前面部位に底面切削カッター刃１９、１９を取付けた座掘カッター刃１２Ａを用いた点で、このように構成した座掘カッター１Ａにしても、前記本発明の第１の実施の形態と同様な作用効果が得られる。
【００１４】
図１０および図１１に示す本発明の第３の実施の形態において、前記本発明の第２の実施の形態と主に異なる点は、ナット２３を固定した取付具１１のナット２３と着脱可能に係合する中央部に係合孔２４が形成されたバー状のハンドル２５によって回転筒８を回転できるようにした点で、このように構成した座掘カッター１Ｂはハンドル２５を取付け、該ハンドル２５を回転させることにより、座掘作業を行なうことができる。
また、ハンドル２５を用いることなく、電動工具２で取付具１１を介して回転筒８を回転させて座掘作業を行なってもよい。
【００１５】
【発明の効果】
以上の説明から明らかなように、本発明にあっては次に列挙する効果が得られる。
【００１６】
（１）土台のアンカーボルト挿入孔に挿入されたアンカーボルトの外周部のアンカーボルト挿入孔に挿入されるガイド筒と、このガイド筒の前部を除く部位の外周部を回転可能に覆う回転筒と、この回転筒の後端部に固定状態に取付けられた電動工具等で該回転筒を回転させる取付具と、前記ガイド筒の先端部を除く部位の外周部に位置するように、前記回転筒に着脱可能に取付けられた座掘カッター刃とで構成されているので、座掘作業時に回転筒と一体になって回転することのないガイド筒によって、アンカーボルトが損傷するのを確実に防止することができる。
したがって、アンカーボルトに螺合されるナットをスムーズに螺合させて土台の固定作業を行なうことができる。
【００１７】
（２）前記（１）によって、土台のアンカーボルト挿入孔とアンカーボルトとの間の隙間に、回転しなくてもよいガイド筒の先端部が挿入されて座掘するので、回転筒や座掘カッター刃をスムーズに回転して、効率よく座掘作業を行なうことができる。
【００１８】
（３）前記（１）によって、構造が簡単であるので、容易に実施することができる。
【図面の簡単な説明】
【図１】本発明の第１の実施の形態の正面図。
【図２】本発明の第１の実施の形態の底面図。
【図３】本発明の第１の実施の形態の縦断面図。
【図４】本発明の第１の実施の形態の座掘カッター刃の平面図。
【図５】図４の５−５線に沿う断面図。
【図６】本発明の第１の実施の形態の座掘作業の説明図。
【図７】本発明の第２の実施の形態の正面図。
【図８】本発明の第２の実施の形態の底面図。
【図９】本発明の第２の実施の形態の縦断面図。
【図１０】本発明の第３の実施の形態の正面図。
【図１１】本発明の第３の実施の形態の使用説明図。
【符号の説明】
１、１Ａ、１Ｂ：座掘カッター、
２：電動工具、          ３：土台、
４：アンカーボルト挿入孔、
５：アンカーボルト、    ６：ガイド筒、
７：軸受部材、          ８：回転筒、
９：皿ビス、            １０：チャック、
１１：取付具、
１２、１２Ａ：座掘カッター刃、
１３：貫通孔、
１４、１４Ａ：座掘カッター刃本体、
１５：回転筒挿入孔、    １６：ねじ孔、
１７：取付部、
１８：外周部切削カッター刃、
１９：底面切削カッター刃、
２０：座掘穴、          ２１：ベアリング、
２２：カッター刃支持体、２３：ナット、
２４：係止孔、          ２５：ハンドル。
【図１】
2004351617.tif 000003
【図２】
2004351617.tif 000004
【図３】
2004351617.tif 000005
【図４】
2004351617.tif 000006
【図５】
2004351617.tif 000007
【図６】
2004351617.tif 000008
【図７】
2004351617.tif 000009
【図８】
2004351617.tif 000010
【図９】
2004351617.tif 000011
【図１０】
2004351617.tif 000012
【図１１】
2004351617.tif 000013